(57)【要約】【課題】開封された注ぎ口を簡易的に封止して容器内に充填される飲料を衛生的に保管することができるゲーブルトップ型紙容器の提供を図る。【解決手段】板紙を基材とし、ポリオレフィンヒートシール樹脂層を外層とする積層体を用いて封鎖側ブランク妻パネルと、左ブランク屋根パネルと、開封側ブランク妻パネルと、右ブランク屋根パネルとを、四角筒状に連接して形成されるゲーブルトップ型紙容器において、傾斜リブパネル部に連接するヒートシールトップパネル部の両端部に輪ゴム掛け用の掛止溝を設けた手段と、前記ヒートシールトップパネル部の上端に折り返しトップパネル部を連接し、該折り返しトップパネル部に中間を省略する切込み部を形成すると共に、縦幅寸法をやや小とし、横幅寸法をやや大とする二重折段差を形成した手段を採る。【選択図】図２
2013193784.tif 000002
【特許請求の範囲】
【請求項１】
板紙を基材とし、ポリオレフィンヒートシール樹脂層を外層とする積層体を用いて封鎖側ブランク妻パネルと、左ブランク屋根パネルと、開封側ブランク妻パネルと、右ブランク屋根パネルとを、四角筒状に連接して形成されるゲーブルトップ型紙容器において、
傾斜リブパネル部に連接するヒートシールトップパネル部の両端部に輪ゴム掛け用の掛止溝を設けたことを特徴とするゲーブルトップ型紙容器。
【請求項２】
前記ヒートシールトップパネル部の上端に折り返しトップパネル部を連接し、該折り返しトップパネル部に中間を省略する切込み部を形成すると共に、縦幅寸法をやや小とし、横幅寸法をやや大とする二重折段差を形成することで、該二重折段差が前記掛止溝として機能することを特徴とする請求項１記載のゲーブルトップ型紙容器。
【発明の詳細な説明】
【技術分野】
【０００１】
本発明は、開封された注ぎ口を簡易的に封止して容器内に充填される飲料を衛生的に保管することができるゲーブルトップ型紙容器に関する。
【背景技術】
【０００２】
牛乳パックの紙容器として使われているゲーベルトップ型のミルクカートンは、１９１５年に米国で発明され、日本では１９６９年に発売されて以来、安定感と注ぎ口の使い勝手の良さから短期間の間に急速に普及し、今日に至っても圧倒的な生産シェアを維持している。現在、国内においては約２千万本の牛乳パックが毎日消費され、年間に換算すると７２億本にものぼるとされており、それらの牛乳パックの材料となる紙の年間使用量は２０万トンにも達する大量消費資材となっている。
【０００３】
一方、牛乳パックの包装形態も時の経過と共に変化し、当初は飲み口の部分をホッチキスで封止し、開封時はナイフを使用していた時代から、現在では熱圧着と溶剤の組み合わせにより子供からお年寄りまで誰でもが簡単に開封することができる紙パック容器と進化している。
【０００４】
しかしながら、現在のゲーベルトップ型の紙容器の多くは、開封前の密封性、収納性、強靭性については優れた性能を有しているが、開封後ならびに再封後に関しては密閉状態が維持できないことなどの問題点があるものであった。
【０００５】
従来より、その注ぎ口の開封後の密閉性の問題点を解決しようとする種々の提案がなされている。例えば、頂部シール部の全てのシール部を剥し、胴部断面積とほぼ同じ大きさの開口部をなすように開封した状態からの再封を容易にすることにより、非液状体を内容物とする容器としても使用に便利なようにした「紙容器」（特許文献１参照）が提案されている。
【０００６】
しかしながら、上記の「紙容器」の提案は、切妻屋根壁パネルの斜め折線を谷折りすることにより切妻屋根壁側頂部シールパネル及び妻壁側シールパネルを十文字形状をなすように重合して開口部を閉鎖し、この状態から前記切妻屋根壁側頂部シールパネル及び妻壁側頂部シールパネルを左又は右に捻りながら、斜め折線により形成される切妻屋根壁パネル及び妻壁パネルの４つの山形傾斜パネルを押し込み、該４つの山形傾斜パネルの各頂点を、胴部上端が属する水平面より下方の点でほぼ突き合うように安定させることにより再封可能としたものではあるが、開閉する度に４つの山形傾斜パネルを重合させたり、さらに開口部を引き出したり押し込んだりしなければならず、その作業を行う際に手間を要するものでもあり、面倒でもあった。
【０００７】
また、牛乳や果汁類を収容する紙パックは、開封口を折畳んだ際、開封面は再度密着しないので、隙間から臭いが拡散したり、塵や埃が付着する恐れがあり、これらの不都合を解消するために、着脱簡単な閉塞カバーを備えた「紙パック用開封口閉塞カバー」（特許文献２参照）が提案されている。
【０００８】
しかしながら、上記の「紙パック用開封口閉塞カバー」の提案は、紙パックの開封口から角胴部の上部までを被覆する一体型カバーで、前面板の対称面、即ち背面側を開放し、且つ前面板の内側に紙パックの三角錘状凹部に合致する形状と寸法を有する突起を形成し、更に開封口全長分を収容できる収納塔を備えたものではあるが、閉塞カバー自体を別個に用意または購入しなければならず、さらに使用する度に閉塞カバーの着脱を必要とするもので手間を要するものでもあり、面倒でもあると共に、閉塞カバーを備えるに当たって製造者の製造コストの負担または消費者の購入コストの負担を強いるものであった。
【０００９】
また、一度開口した取り出だし部分を閉塞密封状態に保持できるようにした「飲料封入紙箱」（特許文献３参照）が提案されている。
【００１０】
しかしながら、上記の「飲料封入紙箱」の提案は、封入紙箱の取り出し部を形成する合掌型屋根の棟部分接着部の一部若しくは棟部分の一部に突出形成した舌片に、粘着型の感圧接着剤を用いて開封開口した後において、感圧接着剤で開口部を閉塞密封状態に保持できるように構成するものではあるが、突出形成した舌片自体を設けることは製造者の製造コストの負担を強いると共に、消費者においては手間を要するものでもあり、面倒でもあった。
【００１１】
また、注ぎ口を密閉する手段として道具を使用した提案としては、例えば「紙パックの開封口閉塞用クリップ」（特許文献４参照）や「紙容器封印具および封印具ホルダー」（特許文献５参照）が提案されている。
【００１２】
しかしながら、それらの道具を使用した提案は、紙パックの注ぎ口に閉塞する封印具を別途に購入しなければならず、購入費の負担を強いると共に、さらに封印具を紙パックの注ぎ口から開封時毎に着脱を繰り返さなければならないことから、消費者においては手間を要するものでもあり、面倒でもあった。
【００１３】
本出願人は、以上のような従来のゲーベルトップ型紙容器の開封手段の問題点を解決するために、注ぎ口の開封後の密閉機能に着目し、用具や紙容器の大掛かりな構造を必要とすることなく開封後の密閉状態を簡易的な手段や構造で維持することができないものかとの着想の下、一般家庭の台所にある食品包装の使用済み輪ゴムを使用することによって、開封された注ぎ口を簡易的に封止して容器内に充填される飲料を衛生的に保管することができるゲーブルトップ型紙容器を開発し、本発明の「ゲーベルトップ型紙容器」の提案に至るものである。
【先行技術文献】
【特許文献】
【００１４】
【特許文献１】特開平１１-２７８４７４号公報
【特許文献２】特開２００６-２７３４１９号公報
【特許文献３】実開平６-７２８３２号公報
【特許文献４】特開平８-１１８７５号公報
【特許文献５】再表９９/５２７７９号公報
【発明の概要】
【発明が解決しようとする課題】
【００１５】
本発明は上記問題点に鑑み、開封された注ぎ口を簡易的に封止して容器内に充填される飲料を衛生的に保管することができるゲーブルトップ型紙容器の提供を図ることを課題とする。
【課題を解決するための手段】
【００１６】
上記課題を解決すべく、本発明のゲーブルトップ型紙容器は、板紙を基材とし、ポリオレフィンヒートシール樹脂層を外層とする積層体を用いて封鎖側ブランク妻パネルと、左ブランク屋根パネルと、開封側ブランク妻パネルと、右ブランク屋根パネルとを、四角筒状に連接して形成されるゲーブルトップ型紙容器において、傾斜リブパネル部に連接するヒートシールトップパネル部の両端部に輪ゴム掛け用の掛止溝を設けた手段を採る。
【００１７】
また本発明のゲーブルトップ型紙容器は、前記ヒートシールトップパネル部の上端に折り返しトップパネル部を連接し、該折り返しトップパネル部に中間を省略する切込み部を形成すると共に、縦幅寸法をやや小とし、横幅寸法をやや大とする二重折段差を形成することで、該二重折段差を前記掛止溝として機能させる手段を採る。
【発明の効果】
【００１８】
本発明のゲーブルトップ型紙容器によれば、傾斜リブパネル部に連接するヒートシールトップパネル部に設けられた掛止溝に一般家庭の台所にある食品包装の使用済み輪ゴムを掛けることによって、開封後の密閉状態を簡易的且つ容易に維持することができる優れた効果を奏する。
【００１９】
また本発明のゲーブルトップ型紙容器によれば、傾斜リブパネル部に連接するヒートシールトップパネル部の上端に折り返しトップパネル部を連接し、該折り返しトップパネル部に中間を省略する切込み部を形成すると共に、縦幅寸法をやや小とし、横幅寸法をやや大とする二重折段差を形成することによって、屋根パネル部の補強がなされ、掛止溝の使用回数による縒れを防止し、開封後の密閉状態が維持することができると共に、該二重折段差に指が掛けられるようになることによって不注意や持ち手の滑りによる紙容器の落下防止が図れる優れた効果を奏する。
【００２０】
さらに本発明のゲーブルトップ型紙容器によれば、ヒートシールトップパネル部の上端に連接された折り返しトップパネル部の長さや形状、色彩などを適宜変更することによって、当該ゲーブルトップ型紙容器における開封方向を瞬時に視認・判別することが可能であるといった優れた効果を奏する。
【図面の簡単な説明】
【００２１】
【図１】本発明における請求項１記載のゲーブルトップ型紙容器の全体を示す展開図である。（実施例１）
【図２】本発明における請求項１記載のゲーブルトップ型紙容器の要部拡大説明図である。
【図３】本発明における請求項２記載のゲーブルトップ型紙容器の全体を示す展開図である。（実施例２）
【図４】本発明における請求項２記載のゲーブルトップ型紙容器の要部拡大説明図である。
【発明を実施するための形態】
【００２２】
本発明のゲーブルトップ型紙容器は、板紙を基材とし、ポリオレフィンヒートシール樹脂層を外層とする積層体を用いて封鎖側ブランク妻パネルと、左ブランク屋根パネルと、開封側ブランク妻パネルと、右ブランク屋根パネルとを、四角筒状に連接して形成されるゲーブルトップ型紙容器において、傾斜リブパネル部に連接するヒートシールトップパネル部の両端部に輪ゴム掛け用の掛止溝を設けた手段と、ヒートシールトップパネル部の上端に折り返しトップパネル部を連接し、該折り返しトップパネル部に中間を省略する切込み部を形成すると共に、縦幅寸法をやや小とし、横幅寸法をやや大とする二重折段差を形成した手段を採ったことを最大の特徴とする。以下、本発明にかかるゲーブルトップ型紙容器の実施形態を図面に基づいて説明する。
【００２３】
また、本発明のゲーブルトップ型紙容器の寸法ならび形状は、下記に述べる実施例に特に限定されるものでなく、本発明の技術的思想に逸脱しない範囲で任意に変更することができる。また、明細書中に表現される方向表示は、紙容器の印刷面を表側とした展開図に基づいて説明している。
【実施例１】
【００２４】
図１は本発明における請求項１記載のゲーブルトップ型紙容器の全体を示す展開図である。
本発明のゲーブルトップ型紙容器１は、板紙を基材とし、ポリオレフィンヒートシール樹脂層を外層とする積層体を用いて封鎖側ブランク妻パネル１０と、左ブランク屋根パネル２０と、開封側ブランク妻パネル３０と、右ブランク屋根パネル４０とを四角筒状に連接して形成されるものである。
【００２５】
封鎖側ブランク妻パネル１０は、胴部側板パネル部１１と、ボトムパネル部１２と、三角折り込みパネル部１３aとその斜辺に対称に隣接する三角折り返しパネル部１３ｂとで構成される上部妻パネル部１３と、封鎖側妻リブパネル部１４と、を連接して形成されるものである。
【００２６】
左ブランク屋根パネル２０は、胴部側板パネル部２１と、三角折り込みパネル部２２aとその斜辺に対称に隣接する三角折り返しパネル部２２ｂとで構成されるボトムパネル部２２と、傾斜屋根パネル部２３と、傾斜リブパネル部２４と、ヒートシールトップパネル部２５と、を連接して形成されるものである。
【００２７】
開封側ブランク妻パネル３０は、胴部側板パネル部３１と、開放側面にヒートシールボトムフラップ３５を設けたボトムパネル部３２と、三角折り込みパネル部３３aとその斜辺に対称に隣接する三角折り返しパネル部３３ｂとで構成される上部妻パネル部３３と、開封側妻リブパネル部３４と、を連接して形成されるものである。
【００２８】
右ブランク屋根パネル４０は、開放側面にヒートシールサイドフラップ４７を設けて前記左ブランク屋根パネル部２０と形状を同じくして開封側ブランク妻パネル部３０に対称に連接して形成されるものである。
【００２９】
図２は本発明における請求項１記載のゲーブルトップ型紙容器の要部拡大説明図である。図２（ａ）は輪ゴムＷが係止溝５１に掛かる前の状態を示す。
傾斜リブパネル部２４，４４に連接するヒートシールトップパネル部２５，４５の両端部に輪ゴム掛け用の掛止溝５１を設けるものである。
【００３０】
係止溝５１は、輪ゴムＷが容易に着脱できる形状に設けられるもので、傾斜リブパネル部２４，４４に連接するヒートシールトップパネル部２５，４５の両端部を例えばＶ型やＵ型形状をもって切り欠くものである。
【００３１】
輪ゴムＷは、一般家庭の台所にある食品包装の使用済み輪ゴムを利用するもので、従来の容器蓋封止具のように操作したり、購入したりする必要がなく、子供からお年寄りまで安全に且つ容易にゲーブルトップ型紙容器１の注ぎ口５０を封止することができるものである。
【００３２】
図２（ｂ）は輪ゴムＷが係止溝５１に掛かった状態を示す。
係止溝５１に輪ゴムＷが掛かることによって注ぎ口５０が両側から閉められて封止され、空気中に浮遊する粉塵、湿気、冷蔵庫内の冷気の侵入を阻止することができるものである。
【００３３】
図２（ｃ）は注ぎ口５０が注がれる使用状態を示す。
係止溝５１は、傾斜リブパネル部２４，４４に連接するヒートシールトップパネル部２５，４５の両端部に設けられることから、注ぎ口５０の開閉操作に影響することがない上、さらにヒートシールトップパネル部２５，４５の溶着状態に影響のない位置に設けられていることから、ゲーブルトップ型紙容器１の再封性を阻害することがないものである。
【実施例２】
【００３４】
図３は本発明における請求項２記載のゲーブルトップ型紙容器の全体を示す展開図である。
本発明のゲーブルトップ型紙容器１は、ヒートシールトップパネル部２５，４５の上端に折り返しトップパネル部２６，４６を連接し、該折り返しトップパネル部２６，４６に中間を省略する切込み部５４を形成すると共に、縦幅寸法Ｔをやや小とし、横幅寸法Ｓをやや大とする二重折段差５３を形成したゲーブルトップ型の紙容器である。
【００３５】
二重折段差５３は、ヒートシールトップパネル部２１，４１の上端に折り返しトップパネル部２５，４５を連接し、該の折り返しトップパネル部２５、４５の縦幅寸法Ｔをやや小とし、横幅寸法Ｓをやや大として折り返すことで形成されるもので、該二重折段差５３が掛止溝５１として機能することとなる。すなわち、輪ゴムＷが該二重折段差５３に掛かることによって、注ぎ口５０が両側から閉められて封止されるものである。
【００３６】
切込み部５４は、折り返しトップパネル部２５，４５の中間が省略されて形成されるもので、注ぎ口５０を引き出す際に三角折り込みパネル部３３aと三角折り返しパネル部３３ｂで構成される上部妻パネル部３３が平面状になるまで開封側妻リブパネル部３４を開封剥離して押し広げ、さらに開封側妻リブパネル部３４の中間位置の折線の位置とヒートシールトップパネル部２１，４１の中間位置の折線の位置が完全に露出するまで両側に押し広げ易いように切り欠いているものである。
【００３７】
図４は本発明における請求項２記載のゲーブルトップ型紙容器の要部拡大説明図である。図４（ａ）は輪ゴムＷが二重折段差５３に掛かる前の状態を示す。
本発明のゲーブルトップ型紙容器１は、ヒートシールトップパネル部２１，４１に連接する折り返しトップパネル部２５，４５の両端部に輪ゴム掛け用の二重折段差５３を設けるものである。
【００３８】
図４（ｂ）は輪ゴムＷが二重折段差５３に掛かった状態を示す。
二重折段差５３に輪ゴムＷが掛かることによって注ぎ口５０が両側から閉められて封止され、空気中に浮遊する粉塵、湿気、冷蔵庫内の冷気の侵入を阻止することができるものである。
【００３９】
図４（ｃ）は注ぎ口５０が注がれる使用状態を示す。
二重折段差５３は、ヒートシールトップパネル部２１，４１に連接する折り返しトップパネル部２５，４５の両端部に設けられることから、注ぎ口５０の開閉操作に影響することがない上、さらにヒートシールトップパネル部２１，４１の溶着状態に影響のない位置に設けられていることから、ゲーブルトップ型紙容器１の再封性を阻害することがないものである。
【産業上の利用可能性】
【００４０】
本発明のゲーブルトップ型紙容器は、上部を輪ゴムによって封止して収納物を密閉保管することができることから、牛乳紙パック容器以外の飲料紙パック容器としてや、その他家庭菜園の野菜や草花の種や肥料の保存容器としてや、釣りの生き餌ならびに練り餌入れや、虫取りの簡易虫篭としてもリサイクル利用できるもので、本発明におけるゲーブルトップ型紙容器の産業上の利用可能性は大とするものと解する。
【符号の説明】
【００４１】
１    ゲーブルトップ型紙容器
１０    封鎖側ブランク妻パネル
２０    左ブランク屋根パネル
２１    胴部側板パネル部
２２    ボトムパネル部
２４    傾斜リブパネル部
２５    ヒートシールトップパネル部
２６    折り返しトップパネル部
３０    開封側ブランク妻パネル
３５    ヒートシールボトムフラップ
４０    右ブランク屋根パネル
４１    胴部側板パネル部
４２    ボトムパネル部
４４    傾斜リブパネル部
４５    ヒートシールトップパネル部
４６    折り返しトップパネル部
４７    ヒートシールサイドフラップ
５０    注ぎ口
５１    掛止溝
５２    折り目
５３    二重折段差
５４    切込み部
Ｗ    輪ゴム
Ｔ    縦幅寸法
Ｓ    横幅寸法
【図１】
2013193784.tif 000003
【図２】
2013193784.tif 000004
【図３】
2013193784.tif 000005
【図４】
2013193784.tif 000006